(57)【要約】【課題】  本発明の課題は、ランプ源及びリフレクタからの光の光束密度の低下を防止することができる支持装置、照明装置、走査照明装置、画像読取装置および画像形成装置を得ることにある。【解決手段】  ランプ４と、断面形状が曲線状に形成されてランプ４からの光を反射する反射面５５ａを有するリフレクタ５５とを支持する支持部材５７を備えている支持装置５６であって、支持部材５７は、リフレクタ５５の端部が挿入されるリフレクタ挿入部６２と、ランプ４の端部が挿入されるランプ挿入部６１とを備えている。【選択図】      図３
2006246286.tif 000002
【特許請求の範囲】
【請求項１】
ランプと、断面形状が曲線状に形成されてランプからの光を反射する反射面を有するリフレクタとを支持する支持部材を備えている支持装置であって、
支持部材は、リフレクタの端部が挿入されるリフレクタ挿入部と、ランプの端部が挿入されるランプ挿入部とを備えていることを特徴とする支持装置。
【請求項２】
リフレクタ挿入部には、リフレクタの反射面に当接する反射面当接部が設けられていることを特徴とする請求項１に記載の支持装置。
【請求項３】
リフレクタ挿入部には、リフレクタの裏面に当接する裏面当接部が設けられていることを特徴とする請求項１又は２に記載の支持装置。
【請求項４】
反射面当接部は複数形成され、これらの当接部は、これらの当接部の反射面に対する当接箇所を結ぶ曲線が、リフレクタの反射面の曲線形状に合致するように設けられていることを特徴とする請求項２又は３に記載の支持装置。
【請求項５】
裏面当接部は複数形成され、これらの当接部は、これらの当接部の裏面に対する当接箇所を結ぶ曲線が、リフレクタの裏面の形状に合致するように設けられていることを特徴とする請求項２乃至４のいずれかに記載の支持装置。
【請求項６】
リフレクタの反射面は楕円の一部を構成するような曲線状に形成されており、リフレクタ挿入部とランプ挿入部とは、ランプ挿入部に挿入されるランプの中心が前記楕円の焦点を結ぶ線上に位置するような位置関係になるように設けられていることを特徴とする請求項１乃至５のいずれかに記載の支持装置。
【請求項７】
支持部材は、ランプおよびリフレクタの両端部をそれぞれ支持するために一対設けられており、これらの支持部材の少なくとも一方のリフレクタ収納部は、このリフレクタ収納部に挿入されるリフレクタの端面との間に所定間隔の空間が形成されていることを特徴とする請求項１乃至６のいずれかに記載の支持装置。
【請求項８】
支持部材は、ランプ及びリフレクタの両端部をそれぞれ支持するために一対設けられており、これらの支持部材の少なくとも一方のランプ収納部は、このリフレクタ収納部に挿入されるランプの挿入部分よりも大きくなっていることを特徴とする請求項１乃至７のいずれかに記載の支持装置。
【請求項９】
支持部材には、リフレクタ挿入部およびランプ挿入部がそれぞれ複数設けられていることを特徴とする請求項１乃至８のいずれかに記載の支持装置。
【請求項１０】
リフレクタは、薄板状に形成された鋼板により構成されていることを特徴とする請求項１乃至９のいずれかに記載の支持装置。
【請求項１１】
請求項１乃至１０のいずれかに記載の支持装置を備え、この支持装置のリフレクタから反射された光により照明を行なうことを特徴とする照明装置。
【請求項１２】
請求項１１に記載の照明装置が設けられ、副走査方向に往復動自在に移動可能なキャリッジを備えていることを特徴とする走査照明装置
【請求項１３】
請求項１２に記載の走査照明装置と、この走査照明装置による照明光により照明される原稿を載置する原稿載置部と、原稿からの反射光を結像させるための光学系とを備えていることを特徴とする原稿読取装置。
【請求項１４】
請求項１３に記載の原稿読取装置を備えていることを特徴とする画像形成装置。
【発明の詳細な説明】
【技術分野】
【０００１】
本発明は、ランプ及びリフレクタを支持する支持装置、この支持装置を用いた照明装置、走査照明装置、原稿読取装置および画像形成装置に関する。
【背景技術】
【０００２】
一般に、複写機、プリンタ等の画像形成装置には、図１４に示すように、副走査方向に移動して原稿を照明する走査照明装置１００を有する画像読取装置が搭載されている（例えば、特許文献１参照）。このような走査照明装置１００には原稿を照明するための照明装置１０１を有しており、この照明装置１０１としては、棒状の光源であるキセノンランプ１０３と長尺のリフレクタ１０５とミラー１０６とを備えており、キセノンランプ１０３からの直接光とリフレクタ１０５の反射面を介した間接光とにより両側から照明される方式のものが知られている。また、照明装置１０１は副走査方向に往復動自在なキャリッジと呼ばれる走行体１０７のフレーム１０９に装着されている。
【０００３】
すなわち、照明装置１００のキセノンランプ１０３の両端部には、キセノンランプ１０３を支持する支持装置としてのランプホルダ１１１が設けられており（図１５参照）、このランプホルダ１１１が走行体１０７のフレーム１０９にねじ１１３で固定されている。リフレクタ１０５は、キセノンランプ１０３のアパーチャと呼ばれる発光窓（開口）に対向した位置に配置され、走行体１０７のフレーム１０９にねじ１１５により固定されている。また、ミラー１０６は、走行体１０７のフレーム１０９に形成された切欠き窓に挿入され、板バネ等により弾性的に押圧されて取り付けられている。
【０００４】
ところで、近年においては、画像読取装置の高速化にともないより多くの光量を必要とするようになってきた。キセノンランプ１０３で光量を増加させるには蛍光体の改良、入力電流の増加などがあるがこれだけでは充分な光量を得られないのが現状である。
【０００５】
そこで、図１６に示すように、リフレクタ１１７の反射面の断面形状を楕円などの曲面で構成し、ランプ１１９から放射される光束をリフレクタ１１７の反射面を介すことにより、集光光のみをコンタクトガラス１２１の原稿の原稿面に導くことで照射面積を減らした光束密度の高い照明を可能としている。このように楕円形状の反射面を有するリフレクタ１１７を用いる意図は、ランプ１１９の発光点を楕円焦点に重ね、他方の焦点位置を原稿照射位置にとることでリフレクタ１１７の楕円形状の反射面を反射した光束が狙いの原稿位置に集光する楕円の特性を利用するためである。
【０００６】
【特許文献１】特開２００４−３０９５８号公報
【発明の開示】
【発明が解決しようとする課題】
【０００７】
しかし、従来においては、図１４に示したように、キセノンランプ１０３およびリフレクタ１０５はそれぞれ、ねじ１１３、１１５により別々に走行体１０７に固定されているため、キセノンランプ１０３およびリフレクタ１０５の位置関係を高精度に確保するのが難しかった。これは、図１６に示すランプ１１９及びリフレクタ１１７にも同様のことが言える。このように、ランプとリフレクタとの位置関係が高精度に確保できないと、ランプおよびリフレクタからの光束が集光しなかったり、あるいは、集光位置がずれて高光量を得られなくなったりして、光束密度が低下してしまうという問題がある。
【０００８】
本発明は、ランプ源及びリフレクタからの光の光束密度の低下を防止することができる支持装置、照明装置、走査照明装置、画像読取装置および画像形成装置を得ることを目的とする。
【課題を解決するための手段】
【０００９】
前記課題を解決するために、請求項１に記載された発明は、ランプと、断面形状が曲線状に形成されてランプからの光を反射する反射面を有するリフレクタとを支持する支持部材を備えている支持装置であって、支持部材は、リフレクタの端部が挿入されるリフレクタ挿入部と、ランプの端部が挿入されるランプ挿入部とを備えていることを特徴とする支持装置である。
【００１０】
請求項２に記載された発明は、請求項１に記載の発明において、リフレクタ挿入部には、リフレクタの反射面に当接する反射面当接部が設けられていることを特徴とする支持装置である。
【００１１】
請求項３に記載された発明は、請求項１又は２に記載された発明において、リフレクタ挿入部には、リフレクタの裏面に当接する裏面当接部が設けられていることを特徴とする支持装置である。
【００１２】
請求項４に記載された発明は、請求項２又は３に記載に記載された発明において、反射面当接部は複数形成され、これらの当接部は、これらの当接部の反射面に対する当接箇所を結ぶ曲線が、リフレクタの反射面の曲線形状に合致するように設けられていることを特徴とする支持装置である。
【００１３】
請求項５に記載された発明は、請求項２乃至４のいずれかに記載された発明において、裏面当接部は複数形成され、これらの当接部は、これらの当接部の裏面に対する当接箇所を結ぶ曲線が、リフレクタの裏面の形状に合致するように設けられていることを特徴とする支持装置である。
【００１４】
請求項６に記載された発明は、請求項１乃至５のいずれかに記載された発明において、リフレクタの反射面は楕円の一部を構成するような曲線状に形成されており、リフレクタ挿入部とランプ挿入部とは、ランプ挿入部に挿入されるランプの中心が前記楕円の焦点を結ぶ線上に位置するような位置関係になるように設けられていることを特徴とする支持装置である。
【００１５】
請求項７に記載された発明は、請求項１乃至６のいずれかに記載された発明において、支持部材は、ランプおよびリフレクタの両端部をそれぞれ支持するために一対設けられており、これらの支持部材の少なくとも一方のリフレクタ収納部は、このリフレクタ収納部に挿入されるリフレクタの端面との間に所定間隔の空間が形成されていることを特徴とする支持装置である。
【００１６】
請求項８に記載された発明は、請求項１乃至７のいずれかに記載された発明において、支持部材は、ランプ及びリフレクタの両端部をそれぞれ支持するために一対設けられており、これらの支持部材の少なくとも一方のランプ収納部は、このリフレクタ収納部に挿入されるランプの挿入部分よりも大きくなっていることを特徴とする支持装置である。
【００１７】
請求項９に記載された発明は、請求項１乃至８のいずれかに記載された発明において、支持部材には、リフレクタ挿入部およびランプ挿入部がそれぞれ複数設けられていることを特徴とする支持装置である。
【００１８】
請求項１０に記載された発明は、請求項１乃至９のいずれかに記載された発明において、リフレクタは、薄板状に形成された鋼板により構成されていることを特徴とする支持装置である。
【００１９】
請求項１１に記載された発明は、請求項１乃至１０のいずれかに記載の支持装置を備え、この支持装置のリフレクタから反射された光により照明を行なうことを特徴とする照明装置である。
【００２０】
請求項１２に記載された発明は、請求項１１に記載の照明装置が設けられ、副走査方向に往復動自在に移動可能なキャリッジを備えていることを特徴とする走査照明装置である。
【００２１】
請求項１３に記載された発明は、請求項１２に記載の走査照明装置と、この走査照明装置による照明光により照明される原稿を載置する原稿載置部と、原稿からの反射光を結像させるための光学系とを備えていることを特徴とする原稿読取装置である。
【００２２】
請求項１４に記載された発明は、請求項１３に記載の原稿読取装置を備えていることを特徴とする画像形成装置である。
【発明の効果】
【００２３】
本発明によれば、ランプとリフレクタとを支持する支持部材に、リフレクタの端部が挿入されるリフレクタ挿入部と、ランプの端部が挿入されるランプ挿入部とが設けられているので、ランプとリフレクタとの位置関係を略一義的に定めることができる。このため、ランプとリフレクタとの位置関係を高精度に確保することができ、ランプ及びリフレクタからの光束が集光しなかったり、或いは集光位置がずれて高光量を得られなくなったりするのを防止することができる。この結果、光束密度が低下してしまうことを防止するこができる。
【発明を実施するための最良の形態】
【００２４】
以下に、添付図面を参照して、本発明の実施の形態を詳細に説明する。
【００２５】
図１は、本実施の形態にかかる複写機を概略的に示す図である。この図１に示すように、複写機（画像形成装置）４０は、原稿の画像を読み取る画像読取装置１と、この画像読取装置１で読み取った原稿の画像を用紙に形成するプリンタ装置４１とを有している。
【００２６】
画像読装置１は、上面に原稿が載置されるコンタクトガラス２を有する筐体形状のスキャナハウジング３を備えている。このスキャナハウジング３内には、円柱状に形成されたキセノンランプ（以後、単に「ランプ」という）４、長尺の弓形板状に形成されてランプ４からの光をコンタクトガラス２の原稿に向けて反射するリフレクタ５５、これらのランプ４及びリフレクタ５５を支持する支持装置５６（図８参照）及び略４５°に傾斜した第１ミラー５を有する照明装置２０を搭載した第１キャリッジ６と、４５°に傾斜して互いの反射面のなす角度が直交して読み取り光軸を１８０°反転させる第２ミラー７および第３ミラー８を搭載した第２キャリッジ９とが設けられている。
【００２７】
第１キャリッジ６及び第２キャリッジ９は、主走査方向（図１において紙面に対する垂直方向）を長手方向として配置されている。第１キャリッジ６の下面四隅にはスライダ３０（図８参照）が設けられ、これら４つのスライダ３０を図示しないレールの上に当接させることにより、第１キャリッジ６が副走査方向（図１において左右方向）に移動自在に設けられている。特に図示しないが、第２キャリッジ９も同様に、その下面四隅に設けられたスライダをレールの上に当接させることによって副走査方向に移動自在に設けられている。
【００２８】
原稿画像の読取を待機している状態の第１キャリッジ６及び第２キャリッジ９は、図１中左端部位置のホームポジションに位置付けられており、この位置から第１キャリッジ６及び第２キャリッジ９が、副走査方向に沿って２：１の速度比で往復動するようになっている。ランプ４は、特に図示しないがコンタクトガラス２に対向する位置にスリット（アパーチャ）が形成されるように、光反射面を軸心方向に向けてコンタクトガラス２から離反する側を覆う光反射膜が設けられている。これによって、ランプ４が発光する光を有効に利用して、コンタクトガラス２に向けて照射する光の利用効率の向上を図ることができる。
【００２９】
また、スキャナハウジング３内には、第１キャリッジ６及び第２キャリッジ９を副走査方向に沿って往復動させるためのステッピングモータによる駆動モータ１０、読取素子としてのライン状のＣＣＤ１１を搭載したセンサボードユニット１２、レンズブロック１３を搭載したレンズブロックステー１４、スキャナハウジング３の底面３ａに設けられ、コンタクトガラス２上に載置された原稿のサイズを検出する幅センサ１５及び長さセンサ１６等が設けられている。
【００３０】
なお、センサボードユニット１２及びレンズブロック１３は、原稿からの反射光を結像させるための光学系である。また、照明装置２０が搭載された第１キャリッジ６、第２ミラー７と第３ミラー９とが搭載された第２キャリッジ９、これらのキャリッジ６、９を駆動する駆動モータ１０、各キャリッジ６、９を移動自在に支持するレール（図示せず）、駆動モータ１０により駆動されるタイミングベルト及び平ベルト（図示せず）等によって、照明装置２０、第２ミラー７、第３ミラー８を原稿面に沿ってスキャンさせる走査照明装置２５が構成されている。
【００３１】
一方、プリンタ装置４１内には、シート状の用紙を積層保持する給紙トレイ４２あるいは手差しでの用紙を受け付ける手差しトレイ４３から、プリンタエンジン４４、定着ユニット４５を介して排紙スタッカ部４６へ至る用紙搬送路４７が形成されている。本実施の形態では、像担持体である感光体４８と、その周囲に配置された図示しない帯電体、露光器５０、現像器５１、転写器５２とを有する電子写真方式のプリンタエンジン４４を用いている。また、プリンタ装置４１内には、片面に画像を形成した用紙を反転するための用紙反転機構５３が設けられている。
【００３２】
このような構成において、画像読取装置１で読み取った原稿画像は、プリンタ装置４１により感光体４８上で作像されて現像器５１により現像され、給紙トレイ４２あるいは手差しトレイ４３から給紙された用紙に転写器５２により転写された後、その用紙に転写されたトナー画像は定着ユニット４５により定着されるようになっている。
【００３３】
ここで、図２乃至図８を参照して照明装置２０の支持装置５６について説明する。図３、図６及び図８に示すように照明装置２０の支持装置５６は、円柱状に形成されたランプ４及び長尺の弓形板状に形成されたリフレクタ５５の両端部における一方の端部を支持する第１支持部材５７と、ランプ４及びリフレクタ５５の他方の端部を支持する第２支持部材５９とを備えている。これらの第１支持部材５７及び第２支持部材５９は、ランプ４及びリフレクタ５５を支持している状態において互いに平行に対向して配置された状態で対をなしており、これらの対が互いに並列になるように２つ設けられている。すなわち、本実施の形態において、照明装置２０は、２組の第１支持部材５７及び第２支持部材５９の対にそれぞれ支持された２つのランプ４及び２つのリフレクタ５５を有している。
【００３４】
図２に示すように、第１支持部材５７は、ランプ４及びリフレクタ５５を支持したときにこれらの外側に位置する側壁６０と、ランプ４の一端部が挿入されて支持されるランプ挿入部６１と、リフレクタ５５の他端部が挿入されて支持されるリフレクタ挿入部６２とを備えている。
【００３５】
ランプ挿入部６１は、側壁６０の図２における上部に位置する上部壁６０ａと、この上部壁６０ａの壁面に垂直に突出するとともに断面形状が略Ｃ字状に形成された周壁６３とにより構成されている。ランプ挿入部６１は、これらの側壁６０の上部壁６０ａと周壁６３とで略有底円筒状に形成されており、この内側にランプ４の一端部が挿入されるようになっている。具体的には、ランプ４と第１支持部材５７とは予めランプ取り付け治具にセットされ、アパーチャ角やランプ４と第１支持部材５７との軸中心を正確に位置出しした後に、ランプ挿入部６１とランプ４の一端部との接合部に接着剤を注入して、第１支持部材５７に対してランプ４を取り付けるようになっている。なお、上記接着剤は、非伝導性の材質を用いるのが望ましく、この場合、ランプハーネスとランプ４の電極との半田部を絶縁保護する役割を果たす。
【００３６】
また、ランプ挿入部４の周壁６３の内径は、ランプ４の一端部の外径に対してルーズな寸法（クリアランスを充分に確保した寸法）になっている。言い換えれば、周壁６３の内径はランプ４の一端部の外径よりも大きくなっている。これにより、ランプ４を上記治具により挿入する際に、ランプ４と周壁６３とが干渉するのを防止しているとともに、ランプ挿入部６１に対するランプ４の位置の微調整が行なえるようにしている。また、ランプ挿入部６１の周壁６３の開口部分は図２において左側に形成されており、ランプ４の給電ハーネスの引き出しの際に使用されるハーネス引出口６３ａとなっている。さらに、ランプ挿入部６１の近傍には、ハーネス引出口６３ａから引き出された給電ハーネスを挟み込んで支持するハーネス支持部６４が設けられている。
【００３７】
リフレクタ挿入部６２に挿入されるリフレクタ５５は、薄板状に形成された鋼板により構成されており、全体として上述のように長尺の弓形板状に形成されている。リフレクタ５５の反射面５５ａは、図３及び図４に示すように、断面形状が楕円の一部を構成するような曲線状に形成されている。詳しくは、リフレクタ５５の反射面５５ａは、図５に示すように、楕円式Ｘ2／Ａ2＋Ｙ2／Ｂ2＝１で示されるとともに、その長軸ａが水平線に対して角度θ傾けられた楕円Ｄ１の一部を構成するような曲線状に形成されている。なお、上記式において、Ａは楕円Ｄ１の中心Ｏから楕円Ｄ１の長軸ａと楕円Ｄ１との交点までの距離であり、Ｂは楕円Ｄ１の中心Ｏから楕円Ｄ１の短軸ｂと楕円Ｄ１との交点までの距離である。
【００３８】
一方、リフレクタ５５の裏面（非反射面）５５ｂも、反射面５５ａと同様に、
楕円式Ｘ2／（Ａ＋ｔ）2＋Ｙ2／（Ｂ＋ｔ）2＝１で示されるとともに、その長軸ａが水平線に対して角度θ傾けられた楕円Ｄ２の一部を構成するような曲線状に形成されている。なお、上記式において、ｔはリフレクタ５５の厚みである。
【００３９】
また、図４に示すように、リフレクタ５５の両端部のうち、第１支持部材５７のリフレクタ挿入部６２に挿入される一端部には、後述するリフレクタ挿入部６２の位置決め部７３に嵌合する矩形板状の切欠き５５ｃと、抜け止めねじ６７（図３参照）が挿通される抜け防止孔５５ｄとが形成されている。
【００４０】
図２に示すように、上記構成のリフレクタ５５の一端部が挿入されるリフレクタ挿入部６２は、側壁６０の図２における下部に位置する下部壁６０ｂと、この下部壁６０ｂの壁面に垂直に突出するとともに断面形状が略長方形状に形成された周壁６５とにより構成されている。リフレクタ挿入部６２は、これらの側壁６０の下部壁６０ｂと周壁６５とで略有底筒状に形成されており、この内側にリフレクタ５５の一端部が挿入されるようになっている。
【００４１】
周壁６５を構成する上壁６５ａの下面には、リフレクタ挿入部６２に挿入されるリフレクタ５５の一端部側の反射面５５ａに当接する４つの反射面当接部６６、６７、６８、６９が互いに間隔をあけて形成されている。これらの反射面当接部６６、６７、６８、６９の反射面５５ａに対する当接面（当接箇所）６６ａ、６７ａ、６８ａ、６９ａはそれぞれ、図５に示す楕円Ｄ１の一部を構成するような形状に形成されている。言い換えれば、当接面６６ａ、６７ａ、６８ａ、６９ａはそれぞれ、これらを結ぶ曲線が、リフレクタ５５の反射面５５ａの曲線形状に合致するように形成されている。
【００４２】
このような構成の反射面当接部６６、６７、６８、６９によりリフレクタ５５の反射面５５ａを支持することにより、リフレクタ５５が変形することを防止できる良好な組み付と位置出しが可能になる。また、複数の反射面当接部６６、６７、６８、６９を互いに間隔をあけて設けているので、リフレクタ５５を安定して支持することができる。
【００４３】
また、周壁６５を構成する下壁６５ｂの上面には、リフレクタ挿入部６２に挿入されるリフレクタ５５の裏面５５ｂに当接する３つの裏面当接部７０、７１、７２が互いに間隔をあけて形成されている。これらの裏面当接部７０、７１、７２におけるリフレクタ５５の裏面５５ｂに対する当接面（当接箇所）７０ａ、７１ａ、７２ａはそれぞれ、図５に示す楕円Ｄ２の一部を構成するような形状に形成されている。言い換えれば、当接面７０ａ、７１ａ、７２ａはそれぞれ、これらを結ぶ曲線が、リフレクタ５５の裏面５５ｂの曲線形状に合致するように形成されている。
【００４４】
このような構成の裏面当接部７０、７１、７２によりリフレクタ５５の裏面５５ｂを支持することにより、リフレクタ５５が変形することを防止できる良好な組み付と位置出しが可能になる。また、複数の裏面当接部７０、７１、７２を互いに間隔をあけて設けているので、リフレクタ５５を安定して支持することができる。
【００４５】
しかも、反射面当接部６６、６７、６８、６９と、裏面当接部７０、７１、７２とによりリフレクタ５５を挟持して支持しているため、リフレクタ５５の変形をより効果的に防止することができるとともに、リフレクタ５５をより安定して支持することができる。例えば、リフレクタ５５の材質に厚さが０．５〜０．７ｍｍ程度の薄板高輝アルミニウム鋼板を使用した場合等は、曲面断面形状を加工するそのプレス加工工程においてスプリングバックと言われる現象が発生し狙いの曲率よりも開いた形状に戻ってしまう事があるが、このような場合であっても、反射面当接部６６、６７、６８、６９と、裏面当接部７０、７１、７２とによりリフレクタ５５を挟持することにより、リフレクタ５５の断面形状が狙いの形状や寸法に矯正することができる。
【００４６】
また、下壁６５ｂには、リフレクタ５５の端部が挿入されたとき、このリフレクタ５５の端部に形成された抜け防止孔５５ｄと重なるような位置に、抜け止めねじ６７（図３参照）が挿入されるねじ挿入孔６５ｃが形成されている。
【００４７】
また、側壁６０の下部壁６０ｂにおいて、当接部６６の下方の部分には、側壁６０から垂直に突出した略直方体形状の回転方向位置決め部７３が形成されており、この回転方向位置決め部７３とリフレクタ５５の切欠き５５ｃとの凹凸の嵌合により、リフレクタ５５が位置決めされて、リフレクタ５５の取り付け角度が精度良く決定される。
【００４８】
次に、第２支持部材５８の構成を説明するが、その説明にあたり、上述の第１支持部材５７と同一の部分については、同一の符号を付してその説明を簡略化する。図６及び図７に示すように、第２支持部材５８には、ランプ４の他端部が挿入されて支持されるランプ挿入部７４と、リフレクタ５５の他端部が挿入されて支持されるリフレクタ挿入部７６とを備えている。
【００４９】
ランプ挿入部７４は、第１支持部材５７のランプ挿入部６１の周壁６３と同様な周壁７７を有しており、この内側にランプ４の他端部が挿入されるようになっている。このランプ挿入部７４においては、ランプ挿入部６１のような上部壁６０ａが形成される代わりに、開口部７４ａ（図７参照）が形成されている。すなわち、このランプ挿入部７４は、ランプ４の長手方向の熱膨張に対して許容する自由度を有するように、底（壁面）の無い円筒状に形成されている。これにより、長時間のランプ点灯によりランプ４が加熱し熱膨張した場合においても、長手方向に対して反りやひずみが発生するのを防止することができ、集光能力が低下するのを防止することができる。
【００５０】
なお、本実施の形態では、ランプ挿入部７４に壁面をなくした例で説明しているが、これに代えて、ランプ挿入部７４にもランプ挿入部６１のような上部壁６０ａを形成しても良い。この場合、ランプ挿入部７４に挿入されるランプ４の他端と上部壁６０ａとの間に上記膨張を許容する空間が形成されていれば良い。
【００５１】
また、ランプ挿入部７４の周壁７７の内径は、ランプ４の他端部の外径と略等しい寸法に形成されて、ランプ４の他端部の外周を支持するようになっている。また、周壁７７の開口部分は図６において上側に形成されており、ランプ４の給電ハーネスの引き出しの際に使用されるハーネス引出口７７ａとなっている。
【００５２】
リフレクタ挿入部７６は、第１支持部材５７のリフレクタ挿入部６２の周壁６５と同様な周壁７８を有しており、この内側にリフレクタ５５の他端部が挿入されるようになっている。このリフレクタ挿入部７６においては、リフレクタ挿入部６２のような下部壁６０ｂが形成される代わりに、開口部７６ａが形成されている。すなわち、このリフレクタ挿入部７６は、リフレクタ５５の長手方向の熱膨張に対して許容する自由度を有するように、底（壁面）の無い筒状に形成されている。これにより、長時間のランプ点灯によりリフレクタ５５が加熱し熱膨張した場合においても、長手方向に対して反りやひずみが発生するのを防止することができ、集光能力が低下するのを防止することができる。また、リフレクタ挿入部７６には、リフレクタ挿入部６２と同様な反射面当接部６６、６７、６８、６９及び裏面当接部７０、７１、７２が形成されている。
【００５３】
なお、本実施の形態では、リフレクタ挿入部７６に壁面をなくした例で説明しているが、これに代えて、リフレクタ挿入部７６にもリフレクタ挿入部６２のような下部壁６０ｂを形成しても良い。この場合、リフレクタ挿入部７６に挿入されるリフレクタ５５の他端と下部壁６０ｂとの間に上記膨張を許容する空間が形成されていれば良い。
【００５４】
図８に示すように、本実施の形態では、第１キャリッジ６のフレーム６ａに、上述のように第１支持部材５７及び第２支持部材５９の対が２組、主走査方向を長手方向として互いに平行にベース部材９０を介して取り付けられている。具体的には、ランプ４及びリフレクタ５５が取り付けられた一方の第１支持部材５７及び第２支持部材５９の対と、他方の第１支持部材５７及び第２支持部材５９の対とはベース部材９０にそれぞれ、これら支持部材５７、５９に支持された各リフレクタ５５の各反射面５５ａが互いに向き合うようにねじ８０により固定されている。そして、このベース部材９０は、第１キャリッジ６のフレーム６ａにねじ８０により固定されている。したがって、照明装置２０の両端部では、一方の対の第１支持部材５７と、他方の対の第２支持部材５８とが並列に配置された状態になっている。
【００５５】
このような構成において、第１キャリッジ６を副走査方向に往復動させることにより、照明装置２０の各ランプ４からの直接光と各リフレクタ５５の反射面を介した間接光によりコンタクトガラス２に載置された原稿の原稿面が照明される。
【００５６】
ここで、図９に本実施の形態の支持装置５６によりリフレクタ５５の断面形状及びランプ４とリフレクタ５５との取り付け精度を高く設定した照明装置２０の断面シュミレーションによる光線追跡の試験結果を示す。この図９からも明らかなように、ランプ４のアパーチャから放出した光束が理想断面形状に近い（すなわち、変形等を起こしていない）リフレクタ５５により一箇所の集光ポイントＡに集光された結果、原稿面に効率良く集光されているのがわかる。
【００５７】
また、図１０に実際に試験的に実機計測したデータを示す。すなわち、図１０は、コンタクトガラス２の原稿載置面に照度計を置いた状態で、本実施の形態の照明装置２０を搭載した第１キャリッジ５を副走査方向に往復動させて副走査方向の照度を測定した結果を示す。この図１０からも明らかなように、狙いの位置（図１０における副走査０位置）に高密度で光束が集光しているため高光量を得ることができた。
【００５８】
これに対し、従来のように、ランプ４及びリフレクタ５５を別々に固定した場合には、図１１に示すように、リフレクタ５５が変形（スプリングバック）等を引き起こして、ランプ４からの光束が効率良く集光されない状態で原稿面に向かうため、照射面積（幅）が大きくなっているのがわかる。
【００５９】
また、この従来の固定方法によって固定されたランプ４及びリフレクタ５５を用いた第１キャリッジ６を用いて副走査方向の照度を測定した結果、図１２に示すように、狙いの集光位置（図１２における副走査０位置）からずれた位置に二箇所の集光ポイントＢ、Ｃが発生した。その結果、照射範囲が広く、光束密度が低いため光量が上がらず、高光量を得ることができなかった。このように、照射幅が広くなる場合には、高光量を得られないだけではなく、実際に必要な原稿の読み取り幅以外も同時に照明することになるので実際の画像情報とは異なる情報をＣＣＤセンサが読み取ることになってしまう。このような状態で実際におこる問題は画像濃度不良や低コントラスト文字の不再現などである。
【００６０】
これに対し、本実施の形態の支持装置５６によりランプ４及びリフレクタ５５を支持した場合には、ランプ４及びリフレクタ５５の位置精度が向上するとともに、リフレクタ５５の断面形状を精度良く維持することができ、照明効率が向上するばかりか画像濃度不良、低コントラスト文字の再現性を原稿に忠実に再現することができる。
【００６１】
なお、本発明は上述した実施の形態に限定されず、その要旨を逸脱しない範囲で種々の変形が可能である。
【００６２】
例えば、上記実施の形態の支持装置５６に代えて、図１３に示すような支持装置８１を用いるようにしても良い。すなわち、支持装置８１は、２つのランプ４及び２つのリフレクタ５５を支持する一対の第３支持部材８２を備えている。一対の第３支持部材８２のうち、一方の第３支持部材８２には、上記第１支持部材５７のランプ挿入部６１と同様なランプ挿入部８５が、それぞれのハーネス引き出し口８５ａが互いに向き合うように並列に形成されているとともに、各ランプ挿入部８５の下方にはそれぞれ、上記第１支持部材５７のリフレクタ挿入部６２と同様なリフレクタ挿入部８６が、それぞれに支持されるリフレクタ５５の反射面５５ａが互いに向き合うように並列に形成されている。また、他方の第３支持部材８２には、特に図示しないが、この支持部材８２に上記第２支持部材５８のランプ挿入部７４と同様なランプ挿入部と、上記第２支持部材５８のリフレクタ挿入部７６と同様なリフレクタ挿入部とが、一方の支持部材８２と同様な位置関係で形成されている。
【００６３】
また、上記実施の形態では、画像形成装置として複写機を例にとって説明したが、これに限定されず、例えば、プリンタ、ＦＡＸ等の画像形成装置に適用しても、同様な作用効果を奏する。
【図面の簡単な説明】
【００６４】
【図１】画像形成装置を概略的に示す図である。
【図２】本実施の形態にかかる第１支持部材の斜視図である。
【図３】図２の第１支持部材にランプ及びリフレクタが支持された状態を示す斜視図である。
【図４】リフレクタの一端部を拡大して示す斜視図である。
【図５】図２の第１支持部材を示す断面図である。
【図６】本実施の形態にかかる第２支持部材にランプ及びリフレクタが支持された状態を示す斜視図である。
【図７】図６の第２支持部材を示す断面図である。
【図８】図２の第１支持部材および図６の第２支持部材が第１キャリッジに取り付けられた状態を示す図である。
【図９】本実施の形態にかかる照明装置の断面シュミレーションによる光線追跡の結果を示す図である。
【図１０】本実施の形態にかかる照明装置を用いて第１キャリッジを駆動したときの副走査方向の照度を測定した結果を示す図である。
【図１１】従来の照明装置の断面シュミレーションによる光線追跡の結果を示す図である。
【図１２】従来の照明装置を用いて第１キャリッジを駆動したときの副走査方向の照度を測定した結果を示す図である。
【図１３】変形例にかかる支持部材を示す斜視図である。
【図１４】従来の走査照明装置を概略的に示す図である。
【図１５】図１４のランプ及びランプホルダを示す図である。
【図１６】従来の照明装置を概略的に示す図である。
【符号の説明】
【００６５】
１          画像読取装置
４          キセノンランプ
６          第１キャリッジ
２０        照明装置
２５        走査照明装置
４０        複写機（画像形成装置）
５５        リフレクタ
５６、８１  支持装置
５７        第１支持部材
５９        第２支持部材
６１、７４、８５  ランプ挿入部
６２、７６、８６  リフレクタ挿入部
６６、６７、６８          反射面当接部
６６ａ、６７ａ、６８ａ、７０ａ、７１ａ、７２ａ    当接面（当接個所）
７０、７１、７２          裏面当接部
８２        第３支持部材
【図１】
2006246286.tif 000003
【図２】
2006246286.tif 000004
【図３】
2006246286.tif 000005
【図４】
2006246286.tif 000006
【図５】
2006246286.tif 000007
【図６】
2006246286.tif 000008
【図７】
2006246286.tif 000009
【図８】
2006246286.tif 000010
【図９】
2006246286.tif 000011
【図１０】
2006246286.tif 000012
【図１１】
2006246286.tif 000013
【図１２】
2006246286.tif 000014
【図１３】
2006246286.tif 000015
【図１４】
2006246286.tif 000016
【図１５】
2006246286.tif 000017
【図１６】
2006246286.tif 000018